(57)【要約】【課題】トリミング作業を衛生的にかつ短時間で行うペット用電動トリミング装置を提供しようとするものである。【解決手段】この発明のペット用電動トリミング装置は、携行可能な除毛機構と、携行を不要とした電動モータおよび抜毛の吸引装置とを備え、前記除毛機構は、ペット類の被毛を除毛する歯を対向させた一対の歯車と、該歯車を駆動する前記電動モータに接続したフレキシブルシャフトと、前記一対の歯車の側面に配置した吸引パイプの吸引部とで構成され、前記電動モータは前記フレキシブルシャフトに接続して駆動力を付与し、前記抜毛の吸引装置は前記吸引部にダクトホースを介して接続された前記抜毛を吸引する吸引モータ、およびフィルタによって吸引モータの手前で抜毛を蓄積させる被毛タンクとで構成され、そして前記除毛機構は、トリミング台の上部に設置された懸架レールに吊下げられていることを特徴とするものである。【選択図】図１０
2010187543.tif 000002
【特許請求の範囲】
【請求項１】
携行可能な除毛機構と、携行を不要とした電動モータおよび抜毛の吸引装置とを備え、
前記除毛機構は、ペット類の被毛を除毛する歯を対向させた一対の歯車と、該歯車を駆動する前記電動モータに接続したフレキシブルシャフトと、前記一対の歯車の側面に配置した吸引パイプの吸引部とで構成され、
前記電動モータは前記フレキシブルシャフトに接続して駆動力を付与し、
前記抜毛の吸引装置は前記吸引部にダクトホースを介して接続された前記抜毛を吸引する吸引モータ、およびフィルタによって吸引モータの手前で抜毛を蓄積させる被毛タンクとで構成され、
そして前記除毛機構は、トリミング台の上部に設置された懸架レールに吊下げられていることを特徴とするペット用電動トリミング装置。
【請求項２】
前記トリミング台の上部に設置された懸架レールに前記除毛機構をスライド可能に取り付けるための吊上げ機構が、スプリング式の巻取り機構を内蔵して除毛機構を引き上げるようになっていて、除毛機構の重さを吸収するようにしたことを特徴とする請求項１に記載のペット用電動トリミング装置。
【請求項３】
前記電動モータが、抜毛の吸引装置の適所に取り付けられ、また前記フレキシブルシャフトとダクトホースとが結束されていることを特徴とする請求項１に記載のペット用電動トリミング装置。
【請求項４】
前記吸引パイプが、前記除毛機構のグリップ部をも兼ねていることを特徴とする請求項１に記載のペット用電動トリミング装置。
【請求項５】
前記ペット類の被毛を除毛する歯を対向させた一対の歯車が、板バネを介して弾性的に係合されていることを特徴とする請求項１に記載のペット用電動トリミング装置。
【請求項６】
前記ペット類の被毛を除毛する歯を対向させた一対の歯車が、被毛の長さに応じた複数のアタッチメントとして用意され、前記吸引パイプの吸引部の前面位置において着脱自在に取り付けられるようにしたことを特徴とする請求項１に記載のペット用電動トリミング装置。
【請求項７】
前記被毛の長さに応じた複数のアタッチメントが、一対の歯車の収納ケースに設けた被毛の吸込み口との距離を変えた複数の種類からなることを特徴とする請求項１に記載のペット用電動トリミング装置。
【発明の詳細な説明】
【技術分野】
【０００１】
この発明は、抜毛が散逸しにくく、またブラシ類に付着した抜毛の処理を不要としたペット用電動トリミング装置に関するものである。
【背景技術】
【０００２】
ペットとして飼われているテリア犬の持徴は、他の犬と違い自然換毛機能が弱いことと、被毛が常に伸びていることである。従ってこの犬種を飼育する場合には、飼い主が定期的に抜毛を行ってやることが必要で、このことを「トリミング」と言っている。
このトリミングの目的は２つあり、１つは抜毛することで皮虜を刺激し皮膚癌から犬を守ることと、姿を維持しテリア種の体形を保持することにある。テリア犬のトリミングとは被毛をカットすることではなく抜くことで、切られた被毛は艶が無くなり白く、どんどん悪くなっていくが、手を掛けられた犬は、艶のあるコー卜を持ち、いかにも健康的である。
【０００３】
上述の目的で行うテリア犬の通常のトリミング作業は、最低でも２〜３ケ月に一度の頻度で行う必要があり、理想的には月に一度以上行うとされている。しかしながらテリア犬の中でも一番大型のエアデールテリアの場合には、従来のトリミングナイフによる抜毛方法では慣れた犬でも一回のトリミングに６〜７時間が必要である。また、トリミングナイフによる抜毛には結構な力が必要で、作業が終わると飼い主の手は豆だらけの状態となり、非常にハードな作業である。
【０００４】
またエアデールテリアの被毛は、人間の髪の毛よりも細く、しかも柔らかいために次のような問題が起きることになる。
それは抜毛のために機械装置を使用した場合、エアデールテリアの被毛が電動装置の歯車や回転部分に巻き込まれることになり、エアデールテリアの抜毛に適した機械装置が入手しにくかった。
さらに、エアデールテリアは被毛が切れてしまうとツヤが無くなったり、白毛状態になってしまうという問題があった。
【０００５】
一般的なペットの除毛のための電動装置としては、主に回転式のブラシを備えたものが主流であり、例えば実用新案登録第３０９７３３７号公報（特許文献１参照）のような、脱毛ブラシ体を回転させブラシに付いてくる脱毛を剥ぎ取れる位置に粘着テープを通し脱毛ブラシ体の回転と同時に歯車にて粘着テープ脱着体を回転させ脱毛を粘着テープが粘着テープ脱着体に巻き込み脱着用止体から容易に粘着テープ脱着体を外すことができるようにした除毛処理機が提案されている。
また、特開２００４−１５９５６８号公報（特許文献１参照）のような、把持部と、前記把持部から延設され、除毛対象となる動物の被毛厚さに対して歯長が短く形成された複数の短櫛歯を有する櫛部とを具備することを特徴とする動物用除毛器具も公知である。
【０００６】
しかしながら、上記各先行技術においては基本の除毛機構にブラシ類を使用しているため、いかにバキューム式の吸引機構を備えていたとしても抜毛が散逸しやすく、また使用するブラシ類に付着した抜毛の処理を行わなければならないという面倒な問題を伴うものであった。
【先行技術文献】
【特許文献】
【０００７】
【特許文献１】実用新案登録第３０９７３３７号公報
【特許文献２】特開２００４−１５９５６８号公報
【発明の概要】
【発明が解決しようとする課題】
【０００８】
この発明のペット用電動トリミング装置は、処理した抜毛が散逸しにくく、またブラシ類を使用しないためにブラス類に付着した抜毛の処理を不要としたものであって、トリミング作業を衛生的にかつ短時間で行うペット用電動トリミング装置を提供しようとするものである。
【課題を解決するための手段】
【０００９】
すなわち、この発明のペット用電動トリミング装置は、
携行可能な除毛機構と、携行を不要とした電動モータおよび抜毛の吸引装置とを備え、
前記除毛機構は、ペット類の被毛を除毛する歯を対向させた一対の歯車と、該歯車を駆動する前記電動モータに接続したフレキシブルシャフトと、前記一対の歯車の側面に配置した吸引パイプの吸引部とで構成され、
前記電動モータは前記フレキシブルシャフトに接続して駆動力を付与し、
前記抜毛の吸引装置は前記吸引部にダクトホースを介して接続された前記抜毛を吸引する吸引モータ、およびフィルタによって吸引モータの手前で抜毛を蓄積させる被毛タンクとで構成され、
そして前記除毛機構は、トリミング台の上部に設置された懸架レールに吊下げられていることを特徴とするものである。
【００１０】
この発明のペット用電動トリミング装置は、
トリミング台の上部に設置された懸架レールに前記除毛機構をスライド可能に取り付けるための吊上げ機構が、スプリング式の巻取り機構を内蔵して除毛機構を引き上げるようになっていて、除毛機構の重さを吸収するようにしたことをも特徴とするものである。
【００１１】
この発明のペット用電動トリミング装置は、
前記電動モータが、抜毛の吸引装置の適所に取り付けられ、また前記フレキシブルシャフトとダクトホースとが結束されていることをも特徴とするものである。
【００１２】
この発明のペット用電動トリミング装置は、
前記吸引パイプが、前記除毛機構のグリップ部をも兼ねていることをも特徴とするものである。
【００１３】
この発明のペット用電動トリミング装置は、
前記ペット類の被毛を除毛する歯を対向させた一対の歯車が、板バネを介して弾性的に係合されていることをも特徴とするものである。
【００１４】
この発明のペット用電動トリミング装置は、
前記ペット類の被毛を除毛する歯を対向させた一対の歯車が、被毛の長さに応じた複数のアタッチメントとして用意され、前記吸引パイプの吸引部の前面位置において着脱自在に取り付けられるようにしたことをも特徴とするものである。
【００１５】
この発明のペット用電動トリミング装置は、
前記被毛の長さに応じた複数のアタッチメントが、一対の歯車の収納ケースに設けた被毛の吸込み口との距離を変えた複数の種類からなることをも特徴とするものである。
【発明の効果】
【００１６】
この発明は以上のように構成したので、ブラシ類を使用しないためにブラス類に付着した抜毛の処理が不要となり、トリミング作業を衛生的にかつ短時間で行うことができるペット用電動トリミング装置の提供が可能となった。
またこの発明のペット用電動トリミング装置によれば、バキュームにより毛を引っ張り、それを２個の歯車の間に誘導し、歯車の重なりによって抜毛するものであり、抜毛した被毛はそのままバキュームに吸収され、周りには飛散することがない。
【００１７】
より具体的に効果を列挙すると次の通りである。
１）６〜７時間掛かったトリミング作業がこの機械を使うことにより２時間程度で行うことができるようになった。
２）除毛機構が電動式のため、またトリミング台の上部に設置された懸架レールに吊下げるようにしたことにより、作業終了後の疲れが全く無い。
３）掃除機により吸引しながら作業することから、従来の手で振く方法では、周りに抜毛した毛が大量に飛び散り、作業後の掃除が非常に大変であったが、これが解消してきれいな環境の中で作業ができる。
【図面の簡単な説明】
【００１８】
【図１】この発明のペット用電動トリミング装置の要部を示す正面図である。
【図２】図１の歯車Ａに視点をおいた側面図である。
【図３】図１の歯車Ｂに視点をおいた側面図である。
【図４】図２の（１）部分の平面図である。
【図５】図２の（２）部分の平面図である。
【図６】図２の（３）部分の平面図である。
【図７】（ａ）はアタッチメントＭ（モデレート）の平面図、および（ｂ）は側面図である。
【図８】（ａ）はアタッチメントＳ（ショート）の平面図、および（ｂ）は側面図である。
【図９】（ａ）はアタッチメントＶＳ（ベリーショート）の平面図、および（ｂ）は側面図である。
【図１０】この発明のペット用電動トリミング装置の全体構成を示す説明図である。
【発明を実施するための形態】
【００１９】
以下、この発明のペット用電動トリミング装置の実施の形態を、図面に基いて詳細に説明する。
この発明の１実施例を説明する図１ないし図１０において、ペット用電動トリミング装置は、携行可能な除毛機構１１と、携行を不要とした電動モータ３１および抜毛の吸引装置４１とを備えている。
【００２０】
前記除毛機構１１は、図１ないし図３に示すように、ペット類の被毛を除毛する歯１３を対向させた一対の歯車１２，１２’と、該歯車１２を駆動する前記電動モータ３１に接続したフレキシブルシャフト１４と、前記一対の歯車１２，１２’の側面に配置した吸引パイプ１５の開口した吸引部１６とで構成されている。
前記一対の歯車１２，１２’は、図４に示すようにらせん状に歯１３を形成した駆動側歯車１２と、該らせん状の歯１３の当接面を形成したプーリ状の従動側歯車１２’とで構成されており、この一対の歯車１２，１２’の当接面においてペット類の被毛を抜くようになっている。
【００２１】
前記駆動側歯車１２は、前記吸引部１６に取り付けたハウジング１７内に収納した駆動軸１８上に取り付けられており、該駆動軸１８およびこれと所定の間隔で設置した前記フレキシブルシャフト１４端部にそれぞれ取り付けたタイミングプーリ１９（図６参照）間を、タイミングベルト２０で連結することにより、前記フレキシブルシャフト１４の回転を駆動軸１８に伝達するようになっている。
すなわち、被毛を抜く瞬間には結構な力が必要で、小さな力の弱いモータでは抜毛ができないため大きなモータが必要である。一方、電動で行っても作業に２〜３時間が必要になることから、重量のある大型のモータではこの除毛機構１１を手で持って作業することは困難である。また抜毛作業は体の各部位に移動しながらの作業であることから、前記歯車１２，１２’を回転させる動力をどのように確保するかも大きな課題である。
したがってこの発明では、図１０の全体構成図に示すように、フレキシブルシャフト１４を使うことと、後述のトリミング台６１の上部に懸架レール６３を設置し、そこからスプリング式の巻取り機で除毛機構１１を引き上げ、その重さを吸収することで解決した。
【００２２】
２１は前記ハウジング１７の下端に垂設したブラケットで、前記フレキシブルシャフト１４のホルダ部２２を備えるとともに、両側を吸引パイプ１６側に屈曲させてガイド部２４を形成し、吸引パイプ１６の適所において適宜太さに形成したグリップ部２３を手で握る際のガイドとなるようにしている。
【００２３】
図５は、前記一対の歯車１２，１２’の間を弾性的に密着させるための板バネ２５を説明するためのものである。
すなわち、テリア犬等の毛の太さは人間の髪の毛よりも細いので、歯車１２，１２’の各歯１３の間に隙間があるとその間をすり抜けてしまう。かといって歯車１２，１２’の各歯１３の間隔を固定して動かないようにすると、毛が切れてしまう。
さらに、吸込み口７３から入って行く毛の量は、その時その時の吸入状況や生えている毛の密度によって一定ではない。極端に言うと、数十本の時もあれば、数百本の時もある。すなわち、毛の量は一定ではないのである。また、よく卜リミングされた被毛は太くなるが、トリミングされていない被毛は細いままという特性もあり、毛の太さ自体も一定ではない。
【００２４】
この一定ではない毛の量や毛の太さに対応し、常に歯車１２，１２’の各歯１３の間に入って行く毛を切らずに抜くためには、歯車１２，１２’の接触部分を弾力的に接触させる必要がある。
ちなみに、弾力性のあるウレタン樹脂製の歯車による実験を行ったが、毛を抜く時の力がかなり必要で、ウレタン樹脂の歯車が削れたり曲がったりしてしまい、結果ウレタン樹脂の歯車は実用に耐えないことが判明した。
【００２５】
以上の条件をクリアするため、常に一定の力で硬質材料からなる歯車１２，１２’同士を噛み合わせておき、また毛の量や毛の太さに対応した間隔を維持するために、板バネ２５を使うことによって、一対の歯車１２，１２’の各歯１３を弾力性を持たせた状態で密着させておくようにしたのである。
図５に示すように、板バネ２５を軸着した支軸２６には前記駆動軸１８と連結されて駆動軸１８を首振り可能に保持する連結片２７が取り付けられ、連結片２７の長さ方向に形成した切欠き部２８内に前記板バネ２５が内蔵されている。したがって、前記連結片２７を板バネ２５によって押圧することによって駆動側歯車１２は従動側歯車１２’側に付勢されており、一対の歯車１２，１２’の各歯１３を弾力性を持たせた状態で密着させておくことができるのである。
なお、この板バネ２５によって加えられる負荷の強さであるが、この調整は非常に難しい。すなわち、負荷が強すぎると切れてしまうし、弱いと各歯１３の間を抜けて行ってしまう。この板バネ２５の強さは適宜テストを行って決定することが望ましい。この板バネ２５の効果は顕著であり、このトリミング装置の性能上、欠くことのできない非常に重要な部品である。
【００２６】
前記毛抜き用の歯車は、図４のように２種類の歯車１２，１２’を使っている。径の小さい歯車１２’はロール状の歯車であるが、径の大きい歯車１２の方は加工してある。すなわち、歯車１２を４段に分割し、それぞれの段の歯１３の６０％ほどを削り、その削った箇所を均等にずらして一つの歯車にしてある。
こうすることによって歯車１２の４段のうち、常にどこか一段はもう一つの歯車１２’と接触しているので、歯車１２’の同転を確保することができる。この時接触していない他の３つの段には、もう一つの歯車１２’との間に隙間ができる。この隙間に被毛が吸い込まれ、回転してきた次の歯１３で抜かれるという仕組みになっている。平滑な歯車（ロール状の表面）同士では被毛が吸い込まれる間隔がないので、吸引装置４１で吸っても歯車１２，１２’の間に被毛は入って行かない。これを解決するために、上述の歯車１２，１２’の歯１３を削るという加工がしてあるのである。
【００２７】
図１０に示すように、に前記電動モータ３１は、前記フレキシブルシャフト１４に接続して駆動軸１８に駆動力を付与する。該電動モータ３１は１００Ｖで作動し、各家庭のコンセントから電源を引くことができる。
【００２８】
前記抜毛の吸引装置４１は、前記吸引パイプ１５の吸引部１６にダクトホース４２を介して接続された吸引モータ４３と、フィルタ４５によって吸引モータ４３の手前で抜毛を蓄積させる被毛タンク４４とで構成されており、前記吸引モータ４３の駆動によって抜毛を吸引することができるようになっている。なお前記吸引モータ４３としては、業務用の掃除機が非常に吸引力が強いので好適に使用することができる。
【００２９】
すなわち、抜毛の吸引装置４１についても２つの課題がある。１つは、この作業が２〜３時間は必要であるため、通常の吸引モータ４３ではその耐久性が確保できないし、吸引力が弱いことが問題である。それを解決するためには業務用の大型掃除機を使用することが望ましい。
さらに抜毛した被毛の量が非常に多く、業務用の大型掃除機からなる吸引モータ４３でもすぐにゴミ回収部が一杯となってしまうことである。これには、吸引モータ４３と除毛機構１１の間にフィルタ４５を内蔵した予備の被毛タンク４４を取り付けることによって対応した。そうすることによって、収納する量が確保でき、さらには抜き取った被毛を簡便に処理できるようになった。
【００３０】
前記抜毛の吸引装置４１は、キャスタ４７付きの保持枠４６内に収納されており、その上部に懸架したガイドレール４８には前記電動モータ３１がスライド部４９を介して移動可能に取り付けられている。５０はスライド部４９上で電動モータ３１を首振り自在に保持する支軸である。
５１はフレキシブルシャフト１４とダクトホース４２とを適宜位置において一体化させる結束部である。
なお、フレキシブルシャフト１４を駆動させる電動モータ３１（１００Ｖで重量約７ｋｇ）を移動させるガイドレール４８の高さが、吸引モータ４３と被毛タンク４４の側において異ならせてある。
その理由としては、電動モータ３１から前記除毛機構１１の駆動軸１８までの動力伝達の方法としてフレキシブルシャフト１４を使っているが、このフレキシブルシャフト１４の性格として極端な曲げはフレキシブルシャフト１４内に摩擦抵抗が増え耐久性か低下することから、出来るだけ抵抗か少ない直線に近い状態で使うことが求められている。
そのため、この課題に対してガイドレール４８の高さを変え、ある程度の力で片方（図では被毛タンク４４の側）に寄せておくことで解決した。すなわち、吸引モータ４３側の高さと被毛タンク４４側のガイドレール４８の高さを変え、被毛タンク４４側を２ｃｍほど低くしてあります。
このことによって電動モータ３１は常に被毛タンク４４側に移動することから、フレキシブルシャフト１４のたわみを無くすことができた。当初、弱いスプリングで被毛タンク４４側に引く方法を考えたが、高さを変えることで余計な部品を使わずに解決することができた。
【００３１】
前記除毛機構１１は、ペット類を搭載するキャスタ６２付きのトリミング台６１の上部に設置された懸架レール６３に吊下げられている。
すなわち、前記トリミング台６１の上部に支柱６４を介して設置された懸架レール６３にはスライダ６５が移動可能に取り付けられている。該スライダ６５には前記除毛機構１１をスライド可能に取り付けるための吊上げ機構６６が吊下げられており、該吊上げ機構６６はスプリング式の巻取り機構を内蔵していて、除毛機構１１を引き上げるように付勢しており、前記除毛機構１１の重さを吸収することができる。
前記懸架レール６３は、テリア犬をトリミング台６１に乗せ、上から首輪でつりながら固定してトリミングを行うのであるが、前記除毛機構１１はトリミングのためにテリア犬の右側、左側、さらには前方、お尻の後方と移動しなければならない。特に右側と左側に対応する必要かある。
このため懸架レール６３の形状をＵ字形（上から見て）にすることによって、テリア犬の右側と左側、または前後のどの位置にでも届くようにすれば、使っていて非常に便利である。
【００３２】
この発明のペット用電動トリミング装置においては、前記ペット類の被毛を除毛する歯１３を対向させた一対の歯車１２，１２’が、被毛の長さに応じた複数のアタッチメント７１として用意され、前記吸引パイプ１５の吸引部１６の前面位置において着脱自在に取り付けられるようになっている。
そして、前記被毛の長さに応じた複数のアタッチメント７１は、図７ないし図９に示すように、一対の歯車１２，１２’と収納ケース７２に設けた被毛の吸込み口７３との距離を変えた複数の種類からなるものである。
１例を挙げると、図７のような長めの被毛を毛抜きするためのモデレート（Ｍ）と、図８のような短めの被毛を毛抜きするためのショート（Ｓ）と、図９のような極端に短い被毛を毛抜きするためのベリーショート（ＶＳ）とでアタッチメント７１を構成することができる。
【００３３】
なお、加工していないもう一つの歯車１２’はその径を小さくしている。２個の歯車１２，１２’の重なりで被毛を抜くこの発明においては、歯車１２，１２’の半径以下の長さに抜くことはできない。したがって、被毛の長さが１０ｍｍのショート（Ｓ）やモデレート（Ｍ）は良いが、それよりも短いベリーショート（ＶＳ）のために次のように工夫をしておくとが望ましい。
１）歯車１２の歯１３の径を最小限度まで小さくして、吸込み口７３からの距離を短くする。
２）さらに、吸込み口７３の形状を歯車１２，１２’の歯１３に合わせた円形に加工し、抜く毛の長さ５ｍｍを確保する。
【００３４】
上述のように、エアデール犬の姿を維持するには、体の部位ごとにその被毛の長さが違うため、それを所望の長さに処理するによってエアデールらしさを出さなければならない。そのため、上述のように吸込みロ７３と一対の歯車１２，１２’の間隔を変えたアタッチメント７１を使い、場所により交換することで解決することができるようになった。
上述の３種類の場合のほか、例えば５ｍｍ位の長さの毛を残しそれ以上を抜毛するベリーショート（ＶＳ）、１０ｍｍに抜毛するショート（Ｓ）、同じく２０ｍｍのモデレート（Ｍ）、ショートとモデレートの間をぼかす１５ｍｍ（ボカシ）、長い被毛を残すロング（Ｌ）の５種類のアタッチメント７１とすることもできる。
【００３５】
この発明のペット用電動トリミング装置の作用について説明する。
ａ）先ず最初にトリミング台６１上にエアデールテリア等のペット類を載せる。
ｂ）次に前記除毛機構１１の適所に取り付けた手元スイッチ（図示せず）をＯＮにし、電動モータ３１及び吸引モータ４３を作動させる。
ｃ）その上で、前記除毛機構１１のブラケット２１のホルダ部２２に手を差し込んで吸引パイプ１５のグリップ部２３を握り、ペット類の被毛の所定位置の抜毛作業を行う。
前記除毛機構１１においては最初にセットしたアタッチメント７１、例えばモデレートＭの一対の歯車１２，１２’によってペット類の被毛が抜き取られ、収納ケース７２に設けた吸込み口７３から被毛タンク４４内に被毛が貯留される。
ｄ）最初にセットしたアタッチメント７１の適用部位が終ると別のアタッチメント７１、例えばショートＳに取替えて次の適用部位の抜毛作業を行う。このアタッチメント７１の取替えを適用部位ごとに所定の抜毛作業を行うことにより、ペット類のトリミングが終了する。
ｅ）上記トリミング作業中、前記除毛機構１１の重量は吊上げ機構６６のスプリング式の巻取り機構によって引き上げるように付勢されており、作業者は前記除毛機構１１の重さを感じることなくトリミング作業を行うことができる。
さらに、前記除毛機構１１はトリミング台６１に設置された懸架レール６３に移動可能に取り付けられ、また前記電動モータ３１は保持枠４６上に懸架したガイドレール４８に移動可能にかつ首振り自在に取り付けられているので、トリミング作業には何ら抵抗を感じることがない。
ｆ）トリミング作業が終了すると手元スイッチを切り、ペット類をトリミング台６１から解放する。
ｇ）最後に、被毛タンク４４内から容器状のフィルタ４５を取り出して内部の抜毛を飛散しないように投棄すればすべての作業が終了する。
【産業上の利用可能性】
【００３６】
この発明のペット用電動トリミング装置は、上述のエアデールテリア等のテリア犬のトリミング作業に対してのみならず、被毛のトリミングを必要とする種々のペット類にも適用することができることはいうまでもない。
【符号の説明】
【００３７】
１１  除毛機構
１２，１２’  歯車
１３  歯
１４  フレキシブルシャフト
１５  吸引パイプ
１６  吸引部
１７  ハウジング
１８  駆動軸
１９  タイミングプーリ
２０  タイミングベルト
２１  ブラケット
２２  ホルダ部
２３  グリップ部
２４  ガイド部
２５  板バネ
２６  支軸
２７  連結片
２８  切欠き部
３１  電動モータ
４１  抜毛の吸引装置
４２  ダクトホース
４３  吸引モータ
４４  被毛タンク
４５  フィルタ
４６  保持枠
４７  キャスタ
４８  ガイドレール
４９  スライド部
５０  支軸
５１  結束部
６１  トリミング台
６２  キャスタ
６３  懸架レール
６４  支柱
６５  スライダ
６６  吊上げ機構
７１  アタッチメント
７２  収納ケース
７３  吸込み口
Ｍ  モデレート
Ｓ  ショート
ＶＳ  ベリーショート
【図１】
2010187543.tif 000003
【図２】
2010187543.tif 000004
【図３】
2010187543.tif 000005
【図４】
2010187543.tif 000006
【図５】
2010187543.tif 000007
【図６】
2010187543.tif 000008
【図７】
2010187543.tif 000009
【図８】
2010187543.tif 000010
【図９】
2010187543.tif 000011
【図１０】
2010187543.tif 000012